(57)【特許請求の範囲】
【請求項１】
自動販売機本体内に設けられ商品を冷却保存する商品収納庫と、前記商品収納庫内に設けられ販売直前の商品を前列となるように並べる商品棚と、前記商品収納庫を冷却する蒸発器と、この蒸発器へ冷媒を供給する冷凍機と、冷気送風ファンと、この冷気の風路を形成する風路板と、この風路の出入口を形成する吸込口と吹出口と、前記吹出口から出た冷気を前記商品収納庫の前面部に導く天井ダクトと前記天井ダクトから前記商品収納庫の前面部に吹出す冷気を少ない抵抗で下方の前記販売直前の商品に向ける前面仕切板とから構成され、前記冷気送風ファンの吸引力により前記蒸発器を通過した冷気は、前記風路板に沿って風路内を上昇し、この風路の最上部にある前記吹出口から吹出され、さらに途中で前記商品棚に回ることなく前記天井ダクトの上に拡散され、前記前面仕切板にて前記商品収納庫の前面に導かれ、自動販売機前面の商品棚の前列に並んでいる前記販売直前の商品を強制的に冷却することを特徴とした自動販売機のダクト装置。
【請求項２】
天井ダクト内に冷気の流れを一定方向に集約する風路壁を設けたことを特徴とする請求項１記載の自動販売機のダクト装置。
【請求項３】
天井ダクト内の自動販売機前面近傍に冷気の方向を規制する風向規制板を設けたことを特徴とする請求項２記載の自動販売機のダクト装置。
【請求項４】
自動販売機前面に商品を明るく見せる蛍光灯とこの蛍光灯を取付ける蛍光灯取付板と、蛍光灯取付板により形成された中空部を設けたことにより、天井ダクトから商品収納庫の前面に冷気が移動する際、蛍光灯取付板に形成された前記中空部により、冷気が前記蛍光灯の熱を直接吸収せず、熱影響を小さくすることを特徴とする請求項１記載の自動販売機のダクト装置。
【発明の詳細な説明】
【０００１】
【発明の属する技術分野】
本発明は商品を冷却して販売するようにした自動販売機に関する。
【０００２】
【従来の技術】
近年、自動販売機は、特開昭５５−１５８４７８号公報に記載されたものが知られている。
【０００３】
以下、図面を参照しながら自動販売機についてその一例を説明する。
図６、図７において、１は自動販売機の本体キャビネット、２はその前面扉であり、本体キャビネット１内には上下に冷却室としての商品収納庫３、及び冷凍機４を収容する機械室５が互いに隔絶して仕切られている。商品収納庫３には商品棚６が前列と後列に配置されており、周知のように販売指令に基づいて一個迄の商品７が、商品棚６より前面扉２に開口している商品取り出し口８へ搬出されるように構成されている。商品７を冷却保存するための冷却ユニット９は冷凍機４と、凝縮器１０と、蒸発器１１とからなっている。この蒸発器１１は、商品収納庫３内に配置されている。また商品収納庫３内には蒸発器１１を通る冷気循環風路を形成するための風路板１２、及び風路板１２を通じて庫内に冷気を循環通風させるための冷気送風ファン１３が設けられている。この構成により商品収納庫３には、矢印Ａのように蒸発器１１を貫流する冷気が循環通風され、商品７を冷却する。
【０００４】
【発明が解決しようとする課題】
しかしながら上記のような構成では、商品収納庫３の幅が広いため冷気送風ファン１３により送風された冷気は、風路板１２の風路内で片寄って流れるため、商品収納庫３内で温度分布が不均一となり、商品７の温度に大きなバラツキがでるという課題を有していた。
【０００５】
本発明は上記課題に鑑み、前記商品７が販売により温度のバラツキの少ない、プルダウン時間の短かい自動販売機を目的としている。特に販売直前の商品７が自動販売機前列に並んでいる場合、自動販売機の収納庫３内の温度バラツキにより、商品７の温度バラツキが大きくなるので、これを抑えることを目的としている。
【０００６】
【課題を解決するための手段】
この目的を達成するため本発明の自動販売機は、商品を冷却保存する商品収納庫に設けた商品棚と、前記商品収納庫を冷却する蒸発器と、この蒸発器へ冷媒を供給する冷凍機と、冷気送風ファンと、この冷気の風路を形成する風路板と、この風路の出入口を形成する吸込口と吹出口と、前記吹出口から出た冷気を商品収納庫の前面部に導く天井ダクトとから構成したものである。
【０００７】
これにより、販売直前の商品が自動販売機前列に並んでいる場合の自動販売機の収納庫の温度バラツキを抑え、プルダウン時間を短かくすることができる。
【０００８】
【発明の実施の形態】
本発明の請求項１に記載の発明は、自動販売機本体内に設けられ商品を冷却保存する商品収納庫と、前記商品収納庫内に設けられ販売直前の商品を前列となるように並べる商品棚と、前記商品収納庫を冷却する蒸発器と、この蒸発器へ冷媒を供給する冷凍機と、冷気送風ファンと、この冷気の風路を形成する風路板と、この風路の出入口を形成する吸込口と吹出口と、前記吹出口から出た冷気を前記商品収納庫の前面部に導く天井ダクトと前記天井ダクトから前記商品収納庫の前面部に吹出す冷気を少ない抵抗で下方の前記販売直前の商品に向ける前面仕切板とから構成され、前記冷気送風ファンの吸引力により前記蒸発器を通過した冷気は、前記風路板に沿って風路内を上昇し、この風路の最上部にある前記吹出口から吹出され、さらに途中で前記商品棚に回ることなく前記天井ダクトの上に拡散され、前記前面仕切板にて前記商品収納庫の前面に導かれ、自動販売機前面の商品棚の前列に並んでいる前記販売直前の商品を強制的に冷却するものであり、販売直前の商品、すなわち、商品棚の前列に並んでいる商品のプルダウン時間を短かくするという作用を有する。
【００１０】
請求項２に記載の発明は、請求項１の構成に加え、天井ダクト内に冷気の流れを一定方向に集約する風路壁とで構成したものであり、販売直前の商品が商品収納庫の前列に並んでいる場合のプルダウン時間を短かくし、販売直前の商品間の温度バラツキを小さくするという作用を有する。
【００１１】
請求項３に記載の発明は、請求項２の構成に加え、天井ダクト内の商品収納庫の前面近傍に冷気の方向を規制する風向規制板とで構成したものであり、販売直前の商品が商品収納庫の前列に並んでいる場合のプルダウン時間を短かくし、販売直前の商品間の温度バラツキをさらに小さくするという作用を有する。
【００１４】
請求項４に記載の発明は、請求項１の構成に加え、自動販売機前面に商品を明るく見せる蛍光灯とこの蛍光灯を取付ける蛍光灯取付板と、蛍光灯取付板により形成された中空部を設けたことにより、天井ダクトから商品収納庫の前面に冷気が移動する際、蛍光灯取付板に形成された前記中空部により、冷気が前記蛍光灯の熱を直接吸収せず、熱影響を小さくするものであり、中空部が断熱効果をもたらす作用を有する。
【００１５】
以下、本発明の実施の形態について、図１から図７を用いて説明する。
（実施の形態１）
図１は本発明による実施の形態１による自動販売機のダクト装置の斜視図である。なお、従来例と同じ構成については、同一符号を付して詳細な説明を省略する。
【００１６】
１４は断熱壁であり、一定の厚み以上を確保して外気と商品収納庫３を断熱している。１５は商品収納庫３を形成する内箱である。１６は蒸発器１１から出た冷気を通す前記風路板１２と内箱１５の間で形成した風路である。１７は商品収納庫３の空気を前記蒸発器１１に吸込む吸込口で、前記蒸発器１１の下方に位置する。１８は、前記蒸発器１１から出た冷気を前記風路１６を通り前記冷気送風ファン１３により吹出され、前記商品収納庫３に風を送る吹出口である。１９は前記吹出口１８から出た冷気を自動販売機前面に送り込む天井ダクトで前記商品収納庫３の最上部にある。
【００１７】
以上のように構成された自動販売機のダクト装置について、図１を用いて以下その動作を説明する。
【００１８】
まず、送風ファン１３の吸引力により蒸発器１１を通過した冷気は、矢印Ａのように風路板１２に沿って風路１６内を上昇し、風路１６の最上部にある吹出口１８に勢い良く吹出される。吹出された冷気は途中で商品棚６に回ることなく天井ダクト１９の上に拡散され、商品収納庫の前面に矢印Ｂのように導かれ、自動販売機前面の前記商品７を強制的に冷却する。さらに、この冷気は自動販売機下方へと導かれ前記吸込口１７へと矢印Ｃのように導かれ、再度前記蒸発器１１へと循環する。
【００１９】
以上のように、本実施の形態によれば、販売直前の商品７が前面に並んでいる場合のプルダウン時間を短かくすることができる。
【００２０】
（実施の形態２）
図２は本発明による自動販売機のダクト装置の実施の形態２による自動販売機の側面断面図である。なお、実施の形態１と同一構成については、同一符号を付して詳細な説明を省略する。
【００２１】
２０は吹出口１８から出た冷気を天井ダクト１９により商品収納庫の前面に導いた後、この冷気を矢印Ｄのように下方に向ける前面仕切板である。
【００２２】
以上のように構成された自動販売機のダクト装置について、図２を用いて以下その動作を説明する。
【００２３】
吹出口１８から出た冷気が天井ダクト１９により商品収納庫の前面に導かれ、商品７を冷却するため、前面仕切板２０により、冷気が少ない抵抗で下方に向けられ、商品収納庫の前面の商品７を強制的に冷却する。
【００２４】
以上のように、本実施の形態によれば、販売直前の商品７が商品収納庫の前面に並んでいる場合のプルダウン時間を効率良く短かくすることができる。
【００２５】
（実施の形態３）
図３は本発明による自動販売機のダクト装置の実施の形態３による自動販売機の平面断面図である。なお、実施の形態１と同一の構成については、同一符号を付して詳細な説明を省略する。
【００２６】
２１は吹出口１８から出た冷気を天井ダクト１９により商品収納庫の前面に導く際、冷気の流れを矢印Ｅのように一定方向に集約する風路壁である。
【００２７】
以上のように構成された自動販売機のダクト装置について、図３を用いて以下その動作を説明する。
【００２８】
吹出口１８から出た冷気が天井ダクト１９により商品収納庫の前面に導かれる際、風の通る断面積が急激に広くなると流れの渦が発生し、抵抗となり風量が減る。これを抑える為、風路壁２１を設け、全体の風量を減らすことなく前記商品収納庫３に導くことができる。
【００２９】
以上のように、本実施の形態によれば、販売直前の商品７が商品収納庫の前面に並んでいる場合のプルダウン時間を短かくでき、販売直前の商品間の温度バラツキを小さくすることができる。
【００３０】
（実施の形態４）
図４は本発明による自動販売機のダクト装置の実施の形態４による自動販売機の平面断面図である。なお、実施の形態３と同一の構成については、同一符号を付して詳細な説明を省略する。
【００３１】
２２は吹出口１８から出た冷気を天井ダクト１９により商品収納庫の前面に導く際、風路壁２１によって、冷気の流れが一定方向に集約されるが、自動販売機前面近傍での冷気の方向を矢印Ｆのように規制する風向規制板である。
【００３２】
以上のように構成された自動販売機のダクト装置について、図４を用いて以下その動作を説明する。
【００３３】
吹出口１８から出た冷気が天井ダクト１９により商品収納庫の前面に導かれる際、風量を一定に保つため風路壁２１を設けたが、商品収納庫の前面に冷気が吹出される際、左右一様に冷気を送るために、風向規制板２２を設け、商品収納庫３に冷気を導くことができる。
【００３４】
以上のように、本実施の形態によれば、販売直前の商品７が商品収納庫の前面に並んでいる場合のプルダウン時間を短かくでき、販売直前の商品間の温度バラツキをさらに小さくすることができる。
【００３５】
（実施の形態５）
図５は本発明による自動販売機のダクト装置の実施の形態５による自動販売機の斜視図である。なお、実施の形態１と同一の構成については、同一の符号を付して詳細な説明を省略する。
【００３６】
２３は天井ダクト１９により商品収納庫の前面に吹出された冷気の一部を商品棚６の側面を通す側面風路である。
【００３７】
以上のように構成された自動販売機のダクト装置について、図５を用いて以下その動作を説明する。
【００３８】
天井ダクト１９から出た冷気の一部が矢印Ｇのように商品棚６の奥に回り込み、側面風路２３に導かれる。
【００３９】
以上のように、本実施の形態によれば、販売直前の商品７が商品収納庫の前列に並んでいる場合の最前列以外の商品のプルダウン時間も短かくすることができる。
【００４０】
（実施の形態６）
図６は本発明による自動販売機のダクト装置の実施の形態６による自動販売機の斜視図である。なお、実施の形態１と同一の構成については、同一符号を付して詳細な説明を省略する。
【００４１】
２４は天井ダクト１９により前面に吹出された冷気の一部を商品棚６の間を通すための孔である。
【００４２】
以上のように構成された自動販売機のダクト装置について、図６を用いて以下その動作を説明する。
【００４３】
天井ダクト１９から出た冷気の一部が矢印Ｈのように商品棚６の奥に回り込み、孔２４を通り、下段の商品棚６の商品７を冷却する。
【００４４】
以上のように、本実施の形態によれば、販売直前の商品７が前列に並んでいる場合の最前列以外の商品のプルダウン時間も短かくし、庫内全体の商品温度を安定させることができる。
【００４５】
（実施の形態７）
図７は本発明による自動販売機のダクト装置の実施の形態７による自動販売機の側面断面図である。なお、実施の形態１と同一の構成については、同一符号を付して詳細な説明を省略する。
【００４６】
２５は商品収納庫の前面の商品７を明るく見せるための蛍光灯である。２６は吹出口１８から出た冷気が天井ダクト１９により商品収納庫の前面に導かれ、この冷気を矢印Ｋのように下方に向け、かつ蛍光灯を取付ける蛍光灯取付板である。２７は蛍光灯取付板２６により形成された中空部である。
【００４７】
以上のように構成された自動販売機のダクト装置について、図７を用いて以下その動作を説明する。
【００４８】
吹出口１８から出た冷気が天井ダクト１９により商品収納庫の前面に導かれ、商品７を冷却するため、蛍光灯取付板２６により、冷気が下方に向けられ、商品収納庫の前面の商品７を冷却する。この際、冷気は直接蛍光灯２５の熱を吸収せず、蛍光灯取付板２６により形成された中空部２７により、熱影響を小さくすることができる。
【００４９】
以上のように、本実施の形態によれば、天井ダクト１９から商品収納庫の前面に冷気が移動する際、蛍光灯取付板２６により、冷気が蛍光灯２５の熱を直接吸収せず、中空部２７が断熱効果をもたらすことができる。
【００５０】
【発明の効果】
以上のように本発明の自動販売機のダクト装置では、吹出口から出た冷気を商品収納庫の前面に送り込む天井ダクトを設けることにより、販売直前の商品が自動販売機前面に並んでいる場合、商品収納庫の前面の商品を強制的に冷却でき、プルダウン時間を短かくすることができる。また、吹出口から出た冷気が天井ダクトにより商品収納庫の前面に導かれる際、冷気を少ない抵抗で下方の販売直前の商品に強制的に向ける前面仕切板を設けることにより、販売直前の商品が商品収納庫の前面に並んでいる場合のプルダウン時間を効率良く短かくすることができる。
【００５２】
また、本発明の自動販売機のダクト装置では、吹出口から出た冷気が天井ダクトを通過する際、冷気の通る面積を一定にする風路壁を設けることにより、冷気の風量を減らすことがなく、販売直前の商品が商品収納庫の前面に並んでいる場合のプルダウン時間を短かくでき、販売直前の商品間の温度バラツキを小さくすることができる。
【００５３】
また、本発明の自動販売機のダクト装置では、吹出口から出た冷気を天井ダクトにより商品収納庫の前面に導く際、風路壁に加え、風向規制板を設けることにより、商品収納庫の前面に冷気が吹出される際、左右一様に冷気を送ることができ、販売直前の商品が商品収納庫の前面に並んでいる場合のプルダウン時間を短かくでき、販売直前の温度バラツキを小さくすることができる。
【００５６】
また、本発明の自動販売機のダクト装置では、商品収納庫の前面の商品を明るく見せるための蛍光灯を中空部を有する蛍光灯取付板に取付けることにより、冷気が直接蛍光灯の熱を吸収せず、中空部が断熱効果をもたらすことができる。
【図面の簡単な説明】
【図１】本発明の実施の形態１における自動販売機のダクト装置の斜視図
【図２】本発明の実施の形態２における自動販売機のダクト装置の側面断面図
【図３】本発明の実施の形態３における自動販売機のダクト装置の平面断面図
【図４】本発明の実施の形態４における自動販売機のダクト装置の平面断面図
【図５】本発明の実施の形態５における自動販売機のダクト装置の斜視図
【図６】本発明の実施の形態６における自動販売機のダクト装置の斜視図
【図７】本発明の実施の形態７における自動販売機のダクト装置の側面断面図
【図８】従来の自動販売機のダクト装置の一部切り欠き正面図
【図９】従来の自動販売機のダクト装置の側面断面図
【符号の説明】
３  商品収納庫
４  冷凍機
６  商品棚
１１  蒸発器
１２  風路板
１３  冷気送風ファン
１６  風路
１７  吸込口
１８  吹出口
１９  天井ダクト
２０  前面仕切板
２１  風路壁
２２  風向規制板
２３  側面風路
２４  孔
２５  蛍光灯
２６  蛍光灯取付板
２７  中空部
【図１】
0003633720.tif 000002
【図２】
0003633720.tif 000003
【図３】
0003633720.tif 000004
【図４】
0003633720.tif 000005
【図５】
0003633720.tif 000006
【図６】
0003633720.tif 000007
【図７】
0003633720.tif 000008
【図８】
0003633720.tif 000009
【図９】
0003633720.tif 000010